(57)【要約】【課題】線状光源を有するバックライトユニットにおいて、線状光源をハウジングの隅部で固定することにより表示品質の向上を図る。【解決手段】リード線が導出されるように両端にランプホルダが装着された線状光源２０と、線状光源２０を側壁内面側に固定するための第１、第２の固定手段を有する箱型ハウジング６０と、箱型ハウジング６０の少なくとも線状光源２０が配設される側壁６２ｃの内面に接して底壁面に敷設される反射シートと、反射シートの上に載置され第１、第２の固定手段により箱型ハウジング内に位置決め固定される透光性材料からなる導光板４０とを備えている。第１の固定手段は、箱型ハウジング６０の底壁面から突出した小突起６４ａ、６４ｂからなり、小突起６４ａ、６４ｂにより、箱型ハウジング６０の一側壁６２ｃの内面側に線状光源２０が固定され、第２の固定手段により箱型ハウジング６０の他の側壁６２ｄの内面側にリード線２２ｂが固定され、且つ第１、第２の固定手段により導光板４０が固定される。【選択図】        図１
2004327082.tif 000002
【特許請求の範囲】
【請求項１】
リード線が導出されるように両端にそれぞれランプホルダが装着された線状光源と、該線状光源を側壁内面側に固定するための第１、第２の固定手段を有する箱型ハウジングと、該箱型ハウジングの少なくとも前記線状光源が配設される側壁内面に接して底壁面に敷設される反射シートと、該反射シートの上に載置され前記箱型ハウジング内に位置決め固定される透光性材料からなる導光板とを備えたバックライトユニットであって、前記第１の固定手段は、前記箱型ハウジングの底壁面から突出した小突起からなり、該小突起が該箱型ハウジングの一側壁内面側の両端隅部に設けられ、前記小突起により、前記箱型ハウジングの一側壁内面側に前記線状光源が固定され、前記第２の固定手段により前記箱型ハウジングの他の側壁内面側に前記リード線が固定され、且つ前記第１、第２の固定手段により前記導光板が固定されることを特徴とするバックライトユニット。
【請求項２】
前記導光板は、前記線状光源と対面する側の端部に突出部が形成され、該突出部は、前記線状光源と対面する部分がその表面から裏面に向かって鋭角に傾斜した傾斜面とされ、前記各小突起と当接される部分が段部とされ、少なくとも該各小突起が位置する前記突出部の表面が、前記線状光源を内側に含むように折り曲げられた前記反射シートの端部で覆われていることを特徴とする請求項１に記載のバックライトユニット。
【請求項３】
前記線状光源は、Ｕ字型蛍光ランプであることを特徴とする請求項１または請求項２のいずれかに記載のバックライトユニット。
【請求項４】
前記第２の固定手段は、前記箱型ハウジングの底壁面から突出した小突起からなり、該小突起で前記ランプホルダをも固定するようにしたことを特徴とする請求項３に記載のバックライトユニット。
【請求項５】
リード線が導出されるように両端にそれぞれランプホルダが装着されたＵ字型線状光源と、該線状光源を側壁内面側に固定する箱型ハウジングと、該箱型ハウジングの少なくとも前記Ｕ字型線状光源が配設される側壁内面に接して底壁面に敷設される反射シートと、該反射シートの上に載置され前記箱型ハウジング内に位置決め固定される透光性材料からなる導光板とを備えたバックライトユニットであって、
前記箱型ハウジングには前記Ｕ字型線状光源を固定するための第１、第２の固定手段が設けらており、前記第１の固定手段は、前記箱型ハウジングの底壁面から突出した小突起からなり、該小突起が前記Ｕ字型線状光源のコーナー部付近に設けられ、該Ｕ字型線状光源を固定し、前記第２の固定手段により前記箱型ハウジングの側壁内面側に前記リード線が固定され、且つ前記第１、第２の固定手段により前記導光板が固定されることを特徴とするバックライトユニット。
【請求項６】
前記導光板は、前記線状光源と対面する側の端部に突出部が形成され、該突出部は、前記線状光源と対面する部分がその表面から裏面に向かって鋭角に傾斜した傾斜面とされ、前記各小突起と当接される部分が段部とされ、少なくとも該各小突起が位置する前記突出部の表面が、前記線状光源を内側に含むように折り曲げられた前記反射シートの端部で覆われていることを特徴とする請求項５に記載のバックライトユニット。
【発明の詳細な説明】
【０００１】
【発明の属する技術分野】
本発明は、液晶表示装置におけるバックライトユニットに係り、更に詳しくは、ハウジングへの線状光源及び導光板の装着を工夫することにより表示品質の向上を図ったバックライトユニットに関する。
【０００２】
【従来の技術】
液晶表示装置に使用されるバックライトは、光源に冷陰極又は熱陰極管等の細径蛍光管が使用され、一般にエッジ型と直下型に大別されている。エッジ型バックライトは、導光板の側面に細径蛍光管からなる線状光源が配設され、この光源からの光が液晶表示パネルの表面に誘導される構造を有し、また直下型バックライトは、ランプ室に配設された線状光源からの光が拡散板を経て液晶表示パネルへ拡散照射される構造を有している。
【０００３】
このうち、エッジ型バックライトは、導光板の側面に線状光源を配設できるので、直下型バックライトに比べて、線状光源の設置スペースが節約でき、小型化、薄型化が容易になる。この利点を生かして、このタイプのバックライトは、小型化、薄型化を必要とする液晶表示装置に多く採用されている。
【０００４】
そして、近年、液晶表示装置は、さらに小型化、薄型化が進展しており、これに付随して、バックライトもより一層の小型化、薄型化が要求されている。一方でまた、組立て及びメンテナンスの容易性、或いは限られたスペースでの表示画面の大型化等も追求されてきており、これらに関する技術も特許文献で多く紹介されている。（例えば、特許文献１、２参照）。
【０００５】
特許文献１には、組立て及びメンテナンスを簡単にした照明装置が記載されている。図６は、この文献に記載された照明装置を示した分解斜視図である。
【０００６】
この照明装置１００は、線状光源１０６、放熱板１１０ａ、反射板１１０ｂ、導光板１１０ｃ、拡散板１１０ｄ、レンズシート１１０ｅ等を収納し、これらの部材を固定する上下フレーム１０１、１０２を備え、前記下フレーム１０２の一側端に複数のピン１０９が設けられ、これらのピン１０９に挿入される孔１１１が前記上フレーム１０１及び各部材１１０ａ〜１１０ｅにそれぞれ設けられた構成からなっている。その組立ては、以下の手順で行われる。
【０００７】
先ず、放熱板１１０ａ、反射板１１０ｂ、導光板１１０ｃ、拡散板１１０ｄ及びレンズシート１１０ｅは、図の順序にしたがって積層され、下フレーム１０２のピン１０９に各部材の孔１１１が嵌め込まれる。
【０００８】
次いで、線状光源１０６及びハーネス１０７が導光板１１０ｃの一側端に配設された後に、上フレーム１０１の孔１１１に下フレーム１０２のピン１０９が嵌め込まれ、更に上フレーム１０１の突起１０３が下フレーム１０２の凹部１０８に係止されて、上フレーム１０１が下フレーム１０２に固定される。その後、上フレーム１０１の上に液晶表示パネル１０４が載置されて固定枠１０５で固定される。
【０００９】
また、特許文献２には、限られたスペースで上側フレームの表示窓を大きくした液晶表示装置が記載されている。図７はこの文献に記載された液晶表示装置のバックライトユニットを構成する線状光源、銀反射シート及び導光板組立体の対応関係を示した断面図である。
【００１０】
このバックライトユニット２００は、光源２０１と、一側面の端部がこの光源２０１に対向して配置される導光板２０３とを備え、前記導光板２０３には、光源２０１側の端部で液晶表示パネル（図示省略）側に凸部２０２ａが形成され、この凸部２０２ａの内面に遮光膜２０５が設けられ、銀反射シート２０６の一端が両面テープ２０７により凸部２０２ａの外面（液晶表示パネル側の面）に固定された構成からなっている。
【００１１】
上記銀反射シート２０６の他端は、反射シート２０４とモールド（図示省略）との間に挿入され、また、拡散シート２０８は、導光板２０３の液晶表示パネル側の面２０２で凸部２０２ａの外面以外の領域に設けられている。
【００１２】
この構成によると、凸部２０２ａの外面に銀反射シート２０６の一端が両面テープ２０７により固定されるため、導光板２０３の発光領域は凸部２０２ａを設けていないものに比べて大きくなる。したがって、導光板２０３の発光有効領域が同じであれば、導光板２０３の外形寸法を小さくできるので、液晶表示パネルの表示窓をより狭額縁化することができる。
【００１３】
【特許文献１】
特開平９−１４７６１８号（請求項１〜４、図５）
【特許文献２】
特開平１０−２５３９５６号（請求項１、図４（ａ））
【００１４】
【発明が解決しようとする課題】
しかし、特許文献１の照明装置は、レンズシート、拡散板、導光板、及び反射板等の照明部材を上フレームと下フレームとで挟み込んで固定するために、それぞれの照明部材の側端部に出っ張りを設け、これらの出っ張りに孔を設けなければならないので、各照明部材の加工が複雑になり、またその出っ張り分だけ上下フレーム１０１、１０２等が大きくなってしまう。また、光量を上げるために光源にＵ字型の蛍光ランプを用いようとすると、蛍光ランプ管と導光板との間に突起等からなる係止爪などを配置することになり、この係止爪が蛍光ランプから出る光を遮光したり或いは対向面の光を反射して、影を落としたりして輝線が発生し、最悪の場合には、影が出来てその影の際に輝線が出来るといった照明ムラを発生する恐れがある。
【００１５】
また、特許文献２のバックライトユニットは、この輝線を防止するために凸部内面に遮光膜を設けなければならず、また、銀反射シートを反射シートとは別に用意しなければならないので、複雑な構造となっている。
【００１６】
本発明は、これら従来技術が抱える課題を解決するためになされたものであって、その発明の目的は、簡単な構造で表示品質の向上を図ると共に、一層の小型化を図るバックライトユニットを提供することである。
【００１７】
【課題を解決するための手段】
上記課題を解決するために、本発明のバックライトユニットは、リード線が導出されるように両端にそれぞれランプホルダが装着された線状光源と、該線状光源を側壁内面側に固定するための第１、第２の固定手段を有する箱型ハウジングと、該箱型ハウジングの少なくとも前記線状光源が配設される側壁内面に接して底壁面に敷設される反射シートと、該反射シートの上に載置され前記第１、第２の固定手段により前記箱型ハウジング内に位置決め固定される透光性材料からなる導光板とを備えたバックライトユニットであって、前記第１の固定手段は、前記箱型ハウジングの底壁面から突出した小突起からなり、該小突起が該箱型ハウジングの一側壁内面側の両端隅部に設けられ、前記小突起により、前記箱型ハウジングの一側壁内面側に前記線状光源が固定され、前記第２の固定手段により前記箱型ハウジングの他の側壁内面側に前記リード線が固定され、且つ前記第１、第２の固定手段により前記導光板が固定されることを特徴とする。
【００１８】
そして、前記導光板は、前記線状光源と対面する側の端部に突出部が形成され、該突出部は、前記線状光源と対面する部分がその表面から裏面に向かって鋭角に傾斜した傾斜面とされ、前記各小突起と当接される部分が段部とされ、少なくとも該各小突起が位置する前記突出部の表面が前記線状光源を内側に含むように折り曲げられた前記反射シートの端部で覆われていることが好ましい。
【００１９】
このバックライトユニットにおいては、前記第１の固定手段を小突起で形成し、この小突起を箱型ハウジングの一側壁内面の両端隅部に設け、これらの小突起により、前記箱型ハウジングの側壁内面との間で前記光源ランプを固定し、各小突起と前記第２の固定手段とで前記導光板を位置決め固定する。この固定方法により、前記小突起は、箱型ハウジングの一側壁内面の両端隅部に設けられるので、線状光源から出た光は各小突起に回り込むことになり、特に暗い低輝度部分もなくなって影等が表示画面から観察されることがなくなる。また、突起部の突出量が少なくて済み、突出部分の下側面が水平でなく傾斜しているので、この傾斜面で反射した光が観察面から見難く、また、表面側は突出面から光源を覗こうとしても突出部の傾斜絵面が観察されることがなくなる。また、前記第１、第２の固定手段で前記導光板を位置決め固定し、更に該第２の固定手段と前記箱型ハウジングの他の側壁内面とで前記リード線を固定するので、前記線状光源及び導光板の位置決め固定が正確で簡単になる。
【００２０】
また、前記線状光源は、Ｕ字型蛍光ランプであり、前記第２の固定手段は、前記箱型ハウジングの底壁面から突出した小突起からなり、該小突起で前記ランプホルダをも固定するようにすることが好ましい。
【００２１】
このバックライトユニットにおいては、前記線状光源にＵ字型蛍光ランプを使用することにより、前記第１の固定手段の各小突起は、該Ｕ字型蛍光ランプの底隅部に当接され、該蛍光ランプが位置決め固定されると共に、前記突起部が反射シートで覆われるので、線状光源から出た光は各小突起に２方向から回り込むことになる。この構成により、特に暗い低輝度部分もなくなり影等が表示画面から観察されることはなく、更に輝線等も観察されることがなくなる。
【００２２】
【発明の実施の形態】
本発明の一実施の形態を図面を参照して説明する。図１は、バックライトユニットの分解斜視図、図２は図１の組立体の平面図、図３は組立体の部分断面を示し、同図（ａ）は図２のＡ−Ａ、同図（ｂ）は図２のＢ−Ｂのそれぞれ拡大断面図、図４は、線状光源を反射シートで覆った組立体の平面図、図５は、線状光源をハウジングに装着した組立体の平面図である。
【００２３】
バックライトユニット１０は、線状光源２０と、反射シート３０と、導光板４０と、拡散板５１と、レンズフィルム５２と、拡散板５３と、これらの部材を収納するハウジング６０と、このハウジング６０に装着される固定枠７０とから構成されている。なお、光学部材５０の上に液晶表示パネルが載置されるが、図１〜５では省略されている。
【００２４】
以下、上記バックライトユニットを構成する主要部品を説明する。
【００２５】
線状光源２０には、細径管の蛍光ランプが使用される。その形状は、図１、５に示すように、導光板４０の三側端面４２ａ、４２ｂ、４２ｃを囲むようにほぼＵ字型をなしている。この線状光源（蛍光ランプ）２０は、その端部にリード線２２ａ、２２ｂが接続され、これらのリード線２２ａ、２２ｂが導出されるようにしてほぼＬ字状のランプホルダ２３ａ、２３ｂが装着される。リード線２２ａ、２２ｂの先端には電気コネクタ２４が接続される。なお、線状光源２０は、Ｕ字型のものに限定されず、Ｌ字或いは直線状のものも組み合わせることにより使用可能である。しかし線状光源２０を点灯させるためのインバータ回路等は線状光源２０の数だけ必要となるため、小型の表示装置で高輝度が要求されるものについてはＵ字型のものがよい。
【００２６】
反射シート３０は、ポリエチレンテレフタレート等からなるプラスチック材で形成されたシート材からなる。その大きさは、外周囲にＵ字型蛍光ランプ２０を配設した導光板４０の三側端面４２ａ、４２ｂ、４２ｃを包み込み、各シート側端３２ａ、３２ｂ、３２ｃの各屈曲片３２ａ’、３２ｂ’、３２ｃ’は、導光板４０の表面４１の一部を覆う長さになっている。各シート側端３２ａ、３２ｂ、３２ｃは、反射シート３０から屈曲されるが、この屈曲を容易にするために反射シート３０の隅部に切込み３３ａ、３３ｂが設けられる。また、反射シート３０は、一側端３２ｃに近接してその底面３１の両端に開口３４ｂが形成されている。（図３（ａ）には一方の開口３４ｂを示し、他方の開口３４ａは省略されている）。これらの開口には、ハウジング６０に設けられた小突起６４ａ、６４ｂが挿通される。
【００２７】
導光板４０は、所定の厚さで液晶表示パネル（図示省略）とほぼ同じ横幅及び縦幅を有する矩形状をなし、透光性を有する部材、例えばアクリル樹脂等で形成される。この導光板４０は、その一側端面４２ｂに突出部が形成される。この突出部の形状については後述する。
【００２８】
この導光板４０の上には、光学部材５０が積層される。この光学部材５０は、拡散板５１と、レンズフィルム５２と、拡散板５３との積層体からなる。また、拡散板５１、レンズフィルム５２、拡散板５３には、一側端の両端付近にそれぞれ開口５１ａと５１ｂ、５２ａと５２ｂ、５３ａと５３ｂが形成されている。（図１では、一方の開口５１ａ、５２ａ、５３ａを図示し、他方の開口５１ｂ、５２ｂ、５３ｂは省略されている）。
【００２９】
ハウジング６０は、図５に示すように、前記のＵ字型蛍光ランプ２０、導光板４０、及び反射シート３０をそれぞれ収納できる大きさを有し、浅底の箱型をなし合成樹脂で成型される。底壁面６１は、蛍光ランプ２０を包み込んだ反射シート３０が敷設される広さを有し、周囲側壁６２ａ、６２ｂ、６２ｃ、６２ｄの高さは、導光板４０の厚さより若干長くなっている。なお、底壁面６１には、必要に応じて複数の開口６１ａ〜６１ｄが形成される。これらの開口６１ａ〜６１ｄは、主に蛍光ランプ２０から発する熱を外部へ放散させるものである。
【００３０】
また、底壁面６１には、その一側壁６２ｃ両端の隅部６３ａ、６３ｂに、側壁６２ｃの内壁面から所定距離だけ離れたところに底壁面６１から隆起した小突起（第１の固定手段）６４ａ、６４ｂが形成される。この内壁面からの距離は、少なくとも蛍光ランプ２０の管直径に反射シート３０の厚さを加えた長さに設定される。小突起６４ａ、６４ｂの形状は、任意の形状、例えばピン状或いは細片状に形成される。これらの小突起は、一側（端）面が上記導光板の突出部４２ｂ’の段部に当接され、その高さはこの段部内に収まる高さに形成される。
【００３１】
そして、各小突起６４ａ、６４ｂの一部は、上記Ｕ字型蛍光ランプ２０がハウジング６０内に配設されたとき、少なくともＵ字型蛍光ランプ２０の底隅部２４ａ、２４ｂに当接される位置に設けるのが好ましい。なお、各小突起６４ａ、６４ｂは、他の側壁６２ａ、６２ｂに近接した場所でもよい。この場合、一方の小突起６４ａを一側壁６２ａ側に他の小突起６４ｂを他の側壁６２ｂ側に設けてもよく、その逆に設けてもよい。何れにしても、これらの小突起６４ａ、６４ｂは、Ｕ字型蛍光ランプ２０のコーナー部が位置する一側壁６２ｃ両端の隅部６３ａ、６３ｂ付近に設けられる。
【００３２】
これらの小突起６４ａ、６４ｂは、各小突起の一側（端）面と一側壁６２ｃの内壁面との間で上記蛍光ランプ２０及び反射シート３０が固定され、各小突起の他側（端）面と第２の固定手段６４ｃ、６４ｄ（後述する）とで上記導光板４０が位置決め固定される。
【００３３】
また、底壁面６１の他側端には、側壁６２ｄの内壁面から少なくともリード線２２ａ、２２ｂが挿通される間隔をあけて一対の小突起６４ｃ、６４ｄ（第２の固定手段）が形成される。これらの小突起６４ｃ、６４ｄは、底壁面６１から隆起し所定の長さを有し、その一端表面にピン状の小突起６４ｃ’、６４ｄ’が形成されている。これらピン状突起６４ｃ’、６４ｄ’は、光学部材５０を位置決め固定するものであると共に、リード線２２ａ、２２ｂのガイドとしても用いられている。
【００３４】
また、小突起６４ｃ、６４ｄは、任意の形状に形成できるが、例えば線状に代えて、ピン状或いは細片状の小突起にして、側壁６２ｄの隅部６３ｃ、６３ｄ付近に設け、導光板４０の位置決め固定とランプホルダ２３ａ、２３ｂの固定を兼用させてもよい。
【００３５】
したがって、前記各小突起６４ａ、６４ｂと６４ｃ、６４ｄとは、一対の小突起６４ａ、６４ｂでＵ字型蛍光ランプ２０の固定を行い、他の一対の小突起６４ｃ、６４ｄとで導光板４０を位置決め固定することになる。また、他の一対の小突起６４ｃ、６４ｄは、側壁６２ｄの内壁面との間で各リード線２２ａ、２２ｂを挟み込み固定し、また、各突起６４ｃ、６４ｄの設ける箇所を変更することにより、導光板４０及びランプホルダ２３ａ、２３ｂを同時に固定することもできる。
【００３６】
また、箱型ハウジング６０の各側壁６２ａ、６２ｂ、６２ｃ、６２ｄの外周面には、係止突起６５ａ、６５ｂ、６５ｃ，６５ｄがそれぞれ設けられている。更に、箱型ハウジング６０の裏面には、液晶表示パネル（図示省略）を駆動・制御する回路基板８０ａ、８０ｂが装着されている。
【００３７】
また、固定枠７０は、図１に示すように、表面に設けた表示窓７１と、この表示窓を形成する枠体７２ａ、７２ｂ、７２ｃ、７２ｄとから額縁状をなし、樹脂により形成される。樹脂は透光性のない黒色の材料を使用するのが好ましい。各枠体７２ａ〜７２ｄには、各枠体から垂下した舌片が形成され、これらの舌片に開口７３ａ〜７３ｄが設けられている。図１では開口７３ｂ、７３ｄが省略されている。
【００３８】
次に、導光板４０の一側端面４２ｂに形成される突出部４２ｂ’の形状について説明する。
【００３９】
図３（ａ）、（ｂ）を参照して、導光板４０の一側端面４２ｂは、その表面４１から裏面４３に向け鋭角に傾斜した傾斜面４２ｂ１が形成される。この傾斜面４２ｂ１は、蛍光ランプ２０の管体に近接するように傾斜され、導光板４０の厚さのほぼ中間部まで延びている。
【００４０】
また、この傾斜面４２ｂ１は、導光板４０の厚さのほぼ中間部を過ぎたところで、異なった形状に形成される。すなわち、ハウジング６０に設けられた小突起６４ａ、６４ｂとの当接部分では、ほぼＬ字型の切り欠き段部４２ｂ２、４２ｂ’２が形成され、他の部分４２ｂ３ではその中間部分から裏面４３へ垂下している。なお、各段部４２ｂ２、４２ｂ’２のうち、図３（ａ）には一方の小突起６４ａに対応した切り欠き段部４２ｂ２を示し、他の切り欠き段部４２ｂ’２は省略されている。
【００４１】
この構成により、導光板４０の一側端面４２ｂは、裏面４３に切り欠き段部が形成された部分では側端が長さｔ１突出し、他の部分は長さｔ２突出している。そして、突起の長さｔ１の部分で切欠き段部４２ｂ２、４２ｂ’２が覆われることになる。また、他の側端面４２ａ、４２ｂ、４２ｃには、側端４２ｂの長さｔ２に相当する傾斜面が形成される。そして、導光板４０の表面は、各側壁端の少なくとも上記長さｔ１の部分には、反射シートの側端縁が折り曲げられ固定される。この固定には、両面テープ等が使用される。
【００４２】
また、一方で小突起６４ａ、６４ｂはハウジングの一側端面の両隅部分に形成されているので、蛍光ランプ２０から出た光は各小突起６４ａ、６４ｂに２方向から回り込むことになり、低輝度部分となる影もなくなり、また反射によって輝線が発生することもなくなる。
【００４３】
この点を更に詳述すると、上記小突起６４ａ、６４ｂに相当する固定手段は、例えば既に市販され公知の液晶表示装置では、ハウジングの隅部付近を避けたところに、所定の幅を有する突起が蛍光ランプと導光板の間に設けられている。
【００４４】
この構造によると、蛍光ランプからの光が上記のように２方向から突起周辺へ回り込むことができず、この突起によってむしろ遮光された低輝度の部分が発生し、この低輝度部分が表示面から観察されることになる。
【００４５】
また、導光板４０の一側端面４２ｂに形成される突出部４２ｂ’は、その突出部分の突出量が少なく、しかも、突出部分の下側が水平でなく傾斜しているので、反射した光が観察面から見難く、表面側は突出面から光源を覗こうとしても突出部の傾斜面が観察されない。
【００４６】
これらの部品を用いバックライトユニットは、以下の手順で組立てられる。
【００４７】
先ず、反射シート３０の開口３４ａ、３４ｂを箱型ハウジング６０の底壁６１に形成された小突起６４ａ、６４ｂに挿入し、反射シート３０を箱型ハウジング６０の底壁面６１に固定する。次いで、Ｕ字型蛍光ランプ２０をＵ字型の底隅部２４ａ、２４ｂが小突起６４ａ、６４ｂに当接されるようにして、反射シート３０の上に位置決め固定する。一方Ｕ字型蛍光ランプ２０に接続されたリード線２２ａ、２２ｂは、小突起６４ｃ、６４ｄとハウジング側壁６２ｄ間の隙間に収納して固定する。
【００４８】
その後、導光板４０を各小突起６４ａ、６４ｂと小突起６４ｃ、６４ｄとで位置決め固定し、反射シート３０の３側端３２ａ、３２ｂ、３２ｃを屈曲し、屈曲片３２ａ’、３２ｂ’、３２ｃ’を導光板４０の表面外周縁に固定する。この固定は、両面接着テープ（図示省略）等を用いて固定する。
【００４９】
その後、この組立体の上に光学部材５０を載置して組立てる。この載置組立ては、拡散板５１、レンズフィルム５２、拡散板５３のそれぞれの開口５１ａ〜５３ｂをピン状突起６４ｃ’、６４ｄ’に嵌め込むことにより行う。
【００５０】
その後、固定枠７０をハウジング６０に装着する。その装着は、係止舌片に設けた開口７３ａ、７３ｂ、７３ｃ等をハウジングの係止突起６５ａ、６５ｂ、６５ｃに係合させることによって行う。
【００５１】
【発明の効果】
本発明のバックライトユニットは、第１の固定手段が小突起で形成され、箱型ハウジングの一側壁内面の両端隅部にそれぞれ設けられるので、線状光源から出た光は各小突起を回り込むことになり、特に暗い低輝度部分もなくなり影等が表示画面から観察されることはなくなる。また、突起部の突出量が少なくて済み、突出部分の下側面が水平でなく傾斜しているので、この傾斜面で反射した光が観察面から見難く、また、表面側は突出面から光源を覗こうとしても突出部の傾斜面が観察されることがなくなる。また、前記第１、第２の固定手段で前記導光板を位置決め固定し、更に該第２の固定手段と前記箱型ハウジングの他の側壁内面とで前記リード線を固定するので、前記線状光源及び導光板の位置決め固定が正確で簡単になる。
【００５２】
また、線状光源にＵ字型蛍光ランプを使用することにより、第１の固定手段の各小突起は、Ｕ字型蛍光ランプの底隅部に当接され、蛍光ランプが位置決め固定されると共に、前記突起部が反射シートで覆われるので、線状光源から出た光は各小突起に２方向から回り込むことになり、特に暗い低輝度部分もなくなり、影等が発生して表示画面から観察されることはなく、更に輝線等も観察されることがなくなる。
【図面の簡単な説明】
【図１】本発明の実施形態であるバックライトユニットの分解斜視図である。
【図２】本発明の実施形態であるバックライトユニットの平面図である。
【図３】（ａ）は図２のＡ−Ａ、（ｂ）は図２のＢ−Ｂのそれぞれ拡大断面図である。
【図４】本発明の実施形態である線状光源を反射シートで覆った組立体の平面図である。
【図５】本発明の実施形態である線状光源をハウジングに装着した組立体の平面図である。
【図６】従来技術の照明装置を示した分解斜視図である。
【図７】従来技術のバックライトユニットを構成する線状光源、銀反射シート及び導光板組立体の対応関係を示した断面図である。
【符号の説明】
１０  バックライトユニット
２０  線状光源
２２ａ、２２ｂ  リード線
２３ａ、２３ｂ  ランプホルダ
３０  反射シート
３２ａ’、３２ｂ’、３２ｃ’      屈曲片
４０  導光板
４２ｂ’  突出部
４２ｂ１  傾斜面
４２ｂ２  段部
６０  箱型ハウジング
６１  底壁面
６２ａ、６２ｂ、６２ｃ、６２ｄ    側壁
６４ａ、６４ｂ、６４ｃ、６４ｄ    小突起
【図１】
2004327082.tif 000003
【図２】
2004327082.tif 000004
【図３】
2004327082.tif 000005
【図４】
2004327082.tif 000006
【図５】
2004327082.tif 000007
【図６】
2004327082.tif 000008
【図７】
2004327082.tif 000009